(57)【要約】【課題】より簡単な構成で、発光素子間の発光効率のばらつきを抑制できる発光素子を提供する。【解決手段】発光素子１０は、透光性基板１００上に設けられた導体パターン１４０を有する。導体パターン１４０は、第一電極１１０から離間して配置されている。この導体パターン１４０は、有機機能層１２０を介さずに、第二電極１３０に電気的に接続されている。輝度を調整する際には、導体パターン１４０を切断する。【選択図】図２
2014154269.tif 000002
【特許請求の範囲】
【請求項１】
第一電極と、第二電極と、前記第一電極および前記第二電極によって挟持されるとともに、発光層を含む有機機能層とを有する発光部と、
前記発光部に電気的に並列に設けられた導体パターンとを備え、
前記第二電極は、前記第一電極および前記導体パターンを被覆し、
前記導体パターンは、前記第一電極に対して離間しており、前記第二電極と電気的に接続された発光素子。
【請求項２】
請求項１に記載の発光素子において、
前記導体パターンは、前記第一電極と同じ材料で構成された第一導体部を備える発光素子。
【請求項３】
請求項２に記載の発光素子において、
前記第一電極上には、前記第一電極よりも電気抵抗が小さい補助電極が設けられ、
前記導体パターンは、前記第一導体部と、前記第一導体部に重ねて設けられ、前記補助電極と同じ材料で構成された第二導体部とを備える発光素子。
【請求項４】
請求項１〜３のいずれか一項に記載の発光素子において、
前記導体パターンが絶縁膜で被覆された発光素子。
【請求項５】
請求項１〜４のいずれか一項に記載の発光素子において、
前記導体パターンが分断された発光素子。
【請求項６】
第一電極と、
この第一電極上に設けられ、前記第一電極よりも電気的抵抗が低い複数の補助電極と、
第二電極と、
前記第一電極および前記第二電極間に設けられた、発光層を含む有機機能層とを備え、
前記複数の補助電極うち、一部の補助電極が分断された発光素子。
【発明の詳細な説明】
【技術分野】
【０００１】
本発明は、発光素子に関する。
【背景技術】
【０００２】
近年、発光素子の発光層に有機材料を用いたものが使用されている。このような発光素子においては、製造時のプロセス、発光層の材料の違いにより、発光層の発光特性、たとえば、発光効率（ｃｄ／Ａ）（＝輝度／電流密度）にばらつきが生じることがある。
【０００３】
特許文献１には、光出力のばらつきを抑制する発光モジュールが開示されている。この発光モジュールは、基板上に形成され発光素子に電力を供給する一対の給電端子と、前記給電端子への給電時において、発光素子の光出力に対して予め定められた関係となる出力を生じる出力検知端子とを備えている。出力検知端子は、給電端子への給電時に発光素子の光出力に対して予め定められた関係となる出力を生じる。そのため、制御回路を設けて、出力検知端子の出力に基づいて発光素子への供給電力を制御するフィードバック制御を行うだけで、発光素子を所望の光出力で点灯させることができるとされている。
【先行技術文献】
【特許文献】
【０００４】
【特許文献１】特開２００９−５４４２６号公報
【発明の概要】
【発明が解決しようとする課題】
【０００５】
特許文献１に開示された発光モジュールでは、制御回路側でフィードバック制御を行なう必要があり、装置構成が複雑化するという課題がある。
【０００６】
本発明が解決しようとする課題としては、より簡単な構成で、発光装置間の発光効率のばらつきを抑制することが一例として挙げられる。
【課題を解決するための手段】
【０００７】
請求項１に記載の発明は、
第一電極と、第二電極と、前記第一電極および前記第二電極によって挟持されるとともに、発光層を含む有機機能層とを有する発光部と、
前記発光部に電気的に並列に設けられた導体パターンとを備え、
前記第二電極は、前記第一電極および前記導体パターンを被覆し、
前記導体パターンは、前記第一電極に対して離間しており、前記第二電極と電気的に接続された発光素子である。
請求項６に記載の発明は、
第一電極と、
この第一電極上に設けられ、前記第一電極よりも電気的抵抗が低い複数の補助電極と、
第二電極と、
前記第一電極および前記第二電極間に設けられた、発光層を含む有機機能層とを備え、
前記複数の補助電極うち、一部の補助電極が分断された発光素子である。
【図面の簡単な説明】
【０００８】
【図１】第一実施形態にかかる発光素子の断面図であり、図２のI-I方向の断面図である。
【図２】発光素子の電極、導体パターンの配置を示す平面図である。
【図３】発光素子の断面図であり、（Ａ）は、図２のＡ−Ａ方向の断面図であり、（Ｂ）は、図２のＢ−Ｂ方向の断面図である。
【図４】発光部と、導体パターンとの関係を示す図である。
【図５】第二実施形態の発光素子の断面図であり、図６のV-V方向の断面図である。
【図６】発光素子の電極、導体パターンの配置を示す平面図である。
【図７】発光素子の断面図であり、図６のVII-VII方向の断面図である。
【図８】実施例にかかる発光素子の断面図であり、図９のVIII-VIII方向の断面図である。
【図９】発光素子の電極、導体パターンの配置を示す平面図である。
【図１０】発光素子の断面図であり、（Ａ）は、図９のＡ−Ａ方向の断面図であり、（Ｂ）は、図９のＢ−Ｂ方向の断面図であり、（Ｃ）は、図９のＣ−Ｃ方向の断面図である。
【発明を実施するための形態】
【０００９】
以下、本発明の実施の形態について、図面を用いて説明する。尚、すべての図面において、同様な構成要素には同様の符号を付し、適宜説明を省略する。
（第一実施形態）
図１〜４を参照して、第一実施形態について説明する。
図１は発光素子１０の透光性基板１００の基板面と直交する断面図であり、図２のＩ−Ｉ方向の断面図である。図２は、発光素子１０の電極１１０、１３０、導体パターン１４０の配置を示す平面図である。図３は、発光素子１０の導体パターン１４０の長手方向に沿った断面図であり、（Ａ）は、図２のＡ-Ａ方向に沿った断面図であり、（Ｂ）は、Ｂ-Ｂ方向に沿った断面図である。図４は、発光部と、導体パターンとの関係を示す図である。
【００１０】
本実施形態の発光素子１０は、例えばディスプレイあるいは照明装置として、用いることができる。
発光素子１０は、透光性基板１００と、第一電極１１０と、有機機能層１２０と、第二電極１３０と、導体パターン１４０を備える。
第一電極１１０は、透光性基板１００の一方の基板面に設けられた透明電極であり、本実施形態では陽極である。第一電極１１０としては、たとえば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＳｎＯ２のいずれかの金属酸化物から選択することができる。
【００１１】
透光性基板１００の一方の基板面には、導体パターン１４０が設けられている。導体パターン１４０は、第一電極１１０に対して離間して配置されている。
導体パターン１４０は、ＩＴＯ、ＩＺＯ、ＳｎＯ２のいずれかの金属酸化物から選択することができる。なかでも、第一電極１１０と同じ材料で構成されていることが好ましい。
導体パターン１４０は、絶縁膜１６０により被覆され、導体パターン１４０と後述する有機機能層１２０とが電気的に絶縁されている。
【００１２】
有機機能層１２０は、第一電極１１０および導体パターン１４０を一体的に被覆している。この有機機能層１２０は、発光層１２３を含む。具体的には、有機機能層１２０は、正孔注入層１２１、正孔輸送層１２２、発光層１２３、電子輸送層１２４、及び電子注入層１２５をこの順に積層したものである。なお、正孔注入層１２１及び正孔輸送層１２２の代わりに、これら２つの層の機能を有する一つの層を設けてもよい。同様に、電子輸送層１２４及び電子注入層１２５の代わりに、これら２つの層の機能を有する一つの層を設けてもよい。
また、有機機能層１２０はこれらに限定されるものではなく、上記以外にも他の機能を有した層を含む場合がある。
【００１３】
有機機能層１２０の第一電極１１０側の面と反対側の面には、第二電極１３０が設けられている。この第二電極１３０は、第一電極１１０および導体パターン１４０を一体的に被覆している。第二電極１３０と、第一電極１１０との間に有機機能層１２０が挟まれており、本実施形態では、第二電極１３０は陰極である。
【００１４】
ここで、第一電極１１０、第二電極１３０、導体パターン１４０の配置について、図２および図３を参照して説明する。図２は平面図であるが、第一電極１１０、導体パターン１４０の配置がわかるように、ハッチングをいれている。
透光性基板１００上には、第一電極１１０に接続されるとともに電源の陽極に接続された給電端子（図示略）が形成されている。そして、透光性基板１１０上には、この給電端子に接続された配線１７１が形成されている。
【００１５】
また、透光性基板１００上には、第二電極１３０に接続されるとともに電源の陰極に接続された給電端子（図示略）が形成されている。そして、透光性基板１１０上には、この陰極用の給電端子（図示略）に接続された配線１７２が形成されている。
【００１６】
第一電極１１０は、配線１７１からの引き出し線１７３を介して、配線１７１に電気的に接続されている。一方で、第一電極１１０は、配線１７２から離間している。
なお、引き出し線１７３は、導体パターン１４０と同じ材料で構成することができる。また、配線１７１および配線１７２は大きな電流が流れるため、金属材料で構成されているか、金属酸化物からなる電極に金属材料が積層されていることが好ましい。
図３（Ａ）に示すように、第一電極１１０の配線１７２側の端部上には、有機機能層１２０が設けられていない領域が存在するが、この領域を被覆するように、絶縁膜１６１が設けられている。この絶縁膜１６１は、第一電極１１０の配線１７２側の端部と、配線１７２の第一電極１１０側の領域とに跨って形成されている。この絶縁膜１６１は、導体パターン１４０を被覆する絶縁膜１６０と一体的に構成されていてもよく、別体であってもよい。
【００１７】
第二電極１３０は、有機機能層１２０上から、絶縁膜１６１上をわたって第一電極１１０側から配線１７２へ向って延在し、配線１７２に直接接触している。絶縁膜１６１が設けられていることで、第一電極１１０の配線１７２側の端部と第二電極１３０の配線１７２側の端部との接触が防止されている。
なお、第一電極１１０の配線１７１側の端部と、第二電極１３０の配線１７１側の端部との間には、有機機能層１２０が介在しているため、これらの端部同士が短絡することはない。なお、第一電極１１０の配線１７１側の端部を絶縁膜で被覆して、第一電極１１０の配線１７１側の端部と、第二電極１３０の配線１７１側の端部との接触を防止してもよい。
すなわち、第二電極１３０と第一電極１１０とは短絡しておらず、有機機能層１２０を介して接続されている。
【００１８】
一方、導体パターン１４０は、図２に示すように、第一電極１１０よりも配線１７２側に突出しており、配線１７２に直接接続されている。また、導体パターン１４０は、配線１７１にも直接接続されている。導体パターン１４０は、たとえば、ＩＴＯ、ＩＺＯ、ＳｎＯ２のいずれかの金属酸化物から選択することができる。
【００１９】
図３（Ｂ）に示すように、第二電極１３０は、有機機能層１２０側から、配線１７２に向って延在し、導体パターン１４０が、第二電極１３０が直接接続された配線１７２に直接接触していることがわかる。そのため、第二電極１３０は、導体パターン１４０と電気的に接続され、短絡することとなる。換言すると、導体パターン１４０は、有機機能層１２０を介さずに、第二電極１３０と電気的に接続されることとなる。
ここで、導体パターン１４０が第二電極１３０と電気的に接続されるとは、導体パターン１４０の少なくとも一部が直接第二電極１３０に接続されていてもよく、また、導体パターン１４０の少なくとも一部が第二電極１３０に直接接続された導電体（たとえば、配線１７２）に直接接続されていてもよい。
また、図３（Ｂ）は製造プロセスの安定性から導体パターン１４０上に有機機能層１２０を設けた場合を示したが、必ずしも導体パターン１４０上には有機機能層１２０は必要ではなく、設けない場合でも同様の効果が得られる。
【００２０】
このような発光素子１０においては、図４に示すように、導体パターン１４０が、第一電極１１０と第二電極１３０と有機機能層１２０とで構成される発光部Ｌに対して、電気的に並列に配置されることとなる。
【００２１】
ここで、発光素子１０における電流の流れを説明する。
電源から配線１７１に供給された電流は、引き出し線１７３を通じて、第一電極１１０に供給される。その後、第一電極１１０から、有機機能層１２０を介して、第二電極１３０に流れ、第二電極１３０から、配線１７２へ流れることとなる。
一方で、電源から配線１７１に供給された電流の一部は、導体パターン１４０を流れ、導体パターン１４０から、配線１７２に流れることとなる。導体パターン１４０上には、絶縁膜１６０が設けられているので、導体パターン１４０から有機機能層１２０に電流が流れることはない。
【００２２】
発光素子１０の輝度を調節する際には、導体パターン１４０を物理的に切断する。たとえば、導体パターン１４０のうち、図２の点線で囲んだ領域をレーザ等で物理的に切断する。これにより、切断された導体パターン１４０には電流が流れなくなり、発光部Ｌ、換言すると有機機能層１２０に流れる電流が増える。これにより、有機機能層１２０においてより明るく発光することとなり、発光素子１０の輝度を調整することができる。
【００２３】
このような発光素子１０は、以下のようにして製造できる。
透光性基板１００上に、第一電極１１０、導体パターン１４０、配線１７１，１７２および引き出し線１７３を形成する。たとえば、蒸着あるいはスパッタリングを行って膜を形成し、これをエッチングでパターニングすることで、第一電極１１０、導体パターン１４０、配線１７１，１７２および引き出し線１７３を設けることができる。
その後、導体パターン１４０を被覆する絶縁膜１６０および絶縁膜１６１を設ける。さらに、有機機能層１２０、第二電極１３０を設ける。
そして、必要に応じて、導体パターン１４０をレーザ等で溶断し、導体パターン１４０を物理的に切断する。
【００２４】
次に、本実施形態の作用効果について説明する。
前述したように、本実施形態では、導体パターン１４０が発光部Ｌに対して電気的に並列に配置され、かつ、第二電極１３０と、導体パターン１４０とが短絡している。そのため、導体パターン１４０を電気的に切断することで、発光部Ｌに流れる電流を調整し、発光素子１０の輝度を調整することができる。
なお、導体パターン１４０が有機機能層１２０を介さずに第二電極１３０に電気的に接続されているので、導体パターン１４０上で有機機能層１２０は、発光しない。そのため、導体パターン１４０を切断しても、導体パターン１４０上における輝度は変化せず、第一電極１１０上の有機機能層１２０の発光強度が高まり、発光素子１０全体における輝度を高めることができる。
導体パターン１４０を切断することで、発光素子１０の輝度を調整できるので、輝度の調整が容易である。また、導体パターン１４０を切断することで、輝度を調整できるので、特許文献１のように、制御回路を設けて、輝度を調整する場合に比べ、発光素子１０の素子構成を簡略化できる。
【００２５】
また、第二電極１３０は、第一電極１１０および導体パターン１４０を一体的に被覆している。これにより、第二電極１３０の形成が容易となる。
【００２６】
さらに、導体パターン１４０を第一電極１１０と同じ材料で構成することで、導体パターン１４０と第一電極１１０とを同時に形成することが可能となる。これにより、製造工程の煩雑化を抑制することができる。
【００２７】
（第二実施形態）
図５〜７を参照して、本実施形態の発光素子２０について説明する。
図５は、発光素子２０の断面図であり、補助電極１５０の長手方向と直交する方向の断面図である。図６は、発光素子２０の平面図であり、第一電極１１０、補助電極１５０、配線１７１，１７２、第二電極１３０との位置関係を示す図である。なお、図５は、図６のＶ−Ｖ方向の断面図である。図７は、図６のVII-VII方向の断面図である。
【００２８】
この発光素子２０は、透光性基板１００と、第一電極１１０と、補助電極１５０と、有機機能層１２０と、第二電極１３０とを備える。発光素子２０は、導体パターン１４０を備えていない。他の点は第一実施形態と同様である。
第一電極１１０上には、複数の補助電極１５０がストライプ状に配置されている。補助電極１５０は第一電極１１０よりも電気的抵抗が小さい。補助電極１５０は、第一電極１１０と同様、第二電極１３０に短絡していない。
補助電極１５０は、いずれも絶縁膜１６０に被覆されている。ただし、補助電極１５０を被覆する絶縁膜１６０間には、第一電極１１０が露出しており、露出した第一電極１１０は有機機能層１２０に直接接触している。
【００２９】
図６、７に示すように、補助電極１５０の配線１７１側の端部（長手方向の一方の端部）は、配線１７１に直接接続されており、配線１７１と同じ材料で構成されている。なお、図６は平面図であるが、補助電極１５０の配置がわかるように、ハッチングをいれている。
補助電極１５０の長手方向の他方の端部は、配線１７２には接続されていない。そして、図７に示すように、第一電極１１０の配線１７２側の端部と配線１７２との間、および、補助電極１５０の配線１７２側の端部と配線１７２との間には絶縁膜１６１が設けられ、第一電極１１０と、第二電極１３０との短絡、補助電極１５０と第二電極１３０との短絡が防止されている。絶縁膜１６１は、絶縁膜１６０と一体的に構成されており、同じ材料で構成されている。
【００３０】
補助電極１５０の配線１７１側の他方の端部は、第一電極１１０よりも外側に延在している。この補助電極１５０の他方の端部上には、有機機能層１２０、第二電極１３０は設けられていない。
そして、発光素子２０においては、図６に示すように、一部の補助電極１５０の他方の端部が、レーザ等で物理的に切断された状態となっている。
【００３１】
ここで、発光素子２０における電流の流れを説明する。
電源から配線１７１に供給された電流は、補助電極１５０を介して、第一電極１１０へ供給される。第一電極１１０から有機機能層１２０に電流が流れ、さらに、第二電極１３０を通じて、配線１７２に流れることとなる。
ここで、一部の補助電極１５０の他方の端部を切断することで、第一電極１１０のうち、一部の補助電極１５０に接する部分およびその周囲には、電流が流れにくくなる。これにより、有機機能層１２０の一部の輝度が低下し、発光素子２０の輝度を低下させることができる。切断する補助電極１５０の本数により、発光素子２０の輝度を調整することが可能となる。このように補助電極１５０を切断することで、発光素子２０の輝度を調整できるため、輝度の調整が容易である。また、補助電極１５０を切断することで、発光素子２０の輝度を調整できるので、輝度を調整するための制御回路を設ける場合に比べて、発光素子２０の素子構成が複雑化しない。
【実施例】
【００３２】
（実施例１）
次に、図８〜１０を参照して、実施例１について説明する。
図８は、発光素子３０の断面図であり、補助電極１５０の長手方向と直交する方向の断面図である。図９は、発光素子３０の平面図であり、第一電極１１０、導体パターン１４０Ａ、補助電極１５０、配線１７１，１７２、第二電極１３０との位置関係を示す図である。なお、図１０は、図９の補助電極１５０の長手方向に沿った断面図である。
【００３３】
発光素子３０は、補助電極１５０を備える。また、導体パターン１４０Ａを有する。そして、本実施例においては、導体パターン１４０Ａが配線１７１，１７２に接続され、第二電極１３０と短絡している。また、補助電極１５０および導体パターン１４０Ａは、絶縁膜１６０で被覆されている。その他の点は、第一実施形態と同様である。
【００３４】
発光素子３０は、前記実施形態と同様、透光性基板１００を備えている。透光性基板１００としては、たとえば、ガラスで構成される。
【００３５】
透光性基板１００上には、複数の第一電極１１０が離間配置されている。第一電極１１０上には、第一電極１１０よりも、電気抵抗が小さい材料で構成された補助電極１５０が設けられている。補助電極１５０は各第一電極１１０上に少なくとも１本設けられており、ストライプ状に配置されている。補助電極１５０としては、たとえば、ＡｇあるいはＡｌ等の金属膜を使用できる。
各補助電極１５０は、絶縁膜１６０で被覆されている。ただし、絶縁膜１６０間において、第一電極１１０は露出しており、有機機能層１２０に直接接触している。
【００３６】
一対の第一電極１１０間には、導体パターン１４０Ａが設けられている。導体パターン１４０Ａは、第一電極１１０から離間している。本実施形態では、導体パターン１４０Ａと、第一電極１１０とが交互に配置され、導体パターン１４０Ａ間に第一電極１１０が配置されている。
【００３７】
導体パターン１４０Ａは、第一導体部１４１と、この第一導体部１４１上に、第一導体部１４１に重ねて設けられた第二導体部１４２とを備える。
第一導体部１４１は、ＩＴＯ、ＩＺＯ、ＳｎＯ２のいずれかの金属酸化物から選択することができる。なかでも、第一電極１１０と同じ材料で構成されていることが好ましい。
【００３８】
第二導体部１４２は、第一導体部１４１よりも電気抵抗が小さい。第二導体部１４２は、補助電極１５０と同じ材料で構成されていることが好ましい。
ここで、導体パターン１４０Ａは、絶縁膜１６０で被覆されている。そして、この絶縁膜１６０により、導体パターン１４０Ａの第一導体部１４１および第二導体部１４２が、有機機能層１２０と絶縁されることとなる。
【００３９】
有機機能層１２０の正孔注入層１２１は、絶縁膜１６０間で露出した第一電極１１０に直接接触している。有機機能層１２０の第一電極１１０側の面と反対側の面には第二電極１３０が設けられている。そして、有機機能層１２０および第二電極１３０は、複数の第一電極１１０と、導体パターン１４０とを一体的に被覆している。
なお、複数の第一電極１１０および複数の導体パターン１４０は、発光素子１０の有効発光領域内に位置している。
【００４０】
次に、図９，１０を参照して、第一電極１１０と第二電極１３０との位置関係について説明する。なお、図９は平面図であるが、補助電極１５０、導体パターン１４０の配置がわかるように、ハッチングをいれている。
図９に示すように、第一電極１１０は、配線１７２および配線１７１に対して離間している。図１０（Ａ）は、図９のＡ−Ａ断面図であるが、図１０（Ａ）に示すように、第一電極１１０と配線１７２との間には絶縁膜１６１が配置されている。この絶縁膜１６１は、第一電極１１０の配線１７２側の端部を被覆するとともに配線１７２の第一電極１１０側の端部を被覆している。第二電極１３０は、第一電極１１０側から配線１７２へ向って延在し、絶縁膜１６１上をわたって配線１７２に直接接触しているが、絶縁膜１６１により、第二電極１３０と、第一電極１１０との短絡が防止されている。
【００４１】
なお、第一電極１１０の配線１７１側の端部と、第二電極１３０の配線１７１側の端部との間には有機機能層１２０が配置されており、これらの端部が接することはない。なお、第一電極１１０の配線１７１側の端部を絶縁膜で被覆して、第一電極１１０の配線１７１側の端部と、第二電極１３０の配線１７１側の端部との接触を防止してもよい。
従って、第二電極１３０と第一電極１１０とは短絡しておらず、有機機能層１２０を介して電気的に接続されることとなる。
【００４２】
次に、図９，１０を参照して、補助電極１５０の配置について説明する。
補助電極１５０は、透光性基板１００の基板面に沿って延在しているが、その長手方向の一方の端部は、第一電極１１０よりも配線１７１側に突出しており、配線１７１に直接接続されている。なお、補助電極１５０の他方の端部は、第一電極１１０から、突出しておらず、配線１７２には接続されていない。また、補助電極１５０の他方の端部と配線１７２とは接しておらず、短絡していない。
図１０（Ｂ）は、図９のＢ−Ｂ方向の断面図であるが、図１０（Ｂ）に示すように、補助電極１５０の長手方向の他方の端部と、配線１７２との間には、絶縁膜１６１が配置され、絶縁膜１６１が補助電極１５０の長手方向の他方の端部と、配線１７２の補助電極１５０側の端部とを被覆している。絶縁膜１６１は、補助電極１５０をその長手方向に沿って被覆する絶縁膜１６０と一体的に構成されていてもよい。
【００４３】
第二電極１３０は、補助電極１５０側から配線１７２へ向って延在し、絶縁膜１６１上をわたって配線１７２に直接接触しているが、絶縁膜１６１により、補助電極１５０と、第二電極１３０との短絡が防止されている。
【００４４】
さらに、図９，１０を参照して、導体パターン１４０Ａについて説明する。
導体パターン１４０Ａは、透光性基板１００の基板面に沿って延在している。第一導体パターン１４１の長手方向の両端部それぞれと、第二導体部１４２とが重なるように、第二導体部１４２が配置されている。１対の第二導体部１４２は、第一導体パターン１４１上で離間して配置されている。
一方の第二導体部１４２は、長手方向の一方の端部が第一導体パターン１４１に接続され、他方の端部が配線１７１に直接接続されている。透光性基板１００の基板面側からの平面視において、一方の第二導体部１４２の長手方向の他方の端部上には、有機機能層１２０、第二電極１３０、絶縁膜１６０は設けられていない。
【００４５】
また、他方の第二導体部１４２は、長手方向の一方の端部が第一導体パターン１４１に接続され、他方の端部は、配線１７２に直接接続されている。
【００４６】
本実施形態では、配線１７２は、ＡｇまたはＡｌ等の金属膜で構成されており、配線１７２に接続された他方の第二導体部１４２と一体的に構成されている。なお、配線１７１も、ＡｇまたはＡｌ等の金属膜で形成することができ、配線１７１に接続された一方の第二導体部１４２や補助電極１５０と一体的に構成されていてもよい。
【００４７】
図１０（Ｃ）は、図９のＣ−Ｃ方向の断面図であるが、第二電極１３０は、図１０（Ｃ）に示すように、有機機能層１２０の配線１７２側の端部から、配線１７２側に向って延在し、配線１７２および第二導体部１４２に直接接している。そのため、第二電極１３０と、導体パターン１４０Ａとが短絡することとなる。すなわち、導体パターン１４０Ａは、有機機能層１２０を介さずに、第二電極１３０に電気的に接続されることとなる。
なお、導体パターン１４０Ａの配線１７１側の端部と、第二電極１３０の配線１７１側の端部との間には有機機能層１２０が介在しており、これらの端部は接していない。
【００４８】
このような発光素子１０においては、電源からの電流は、配線１７１を通じて、補助電極１５０および第二導体部１４２に供給される。
補助電極１５０からの電流は、第一電極１１０に流れ、有機機能層１２０を通じ、第二電極１３０へと流れる。これにより、有機機能層１２０のうち、第一電極１１０と第二電極１３０とで挟まれた領域が発光することとなる。
【００４９】
一方で、導体パターン１４０Ａは、第二電極１３０と短絡し、かつ、有機機能層１２０と絶縁されているため、第二導体部１４２に流れた電流は、有機機能層１２０側にほとんど流れることなく、導体パターン１４０Ａ上を流れることとなる。そして、導体パターン１４０Ａから、配線１７２に電流が流れることとなる。従って、有機機能層１２０のうち、導体パターン１４０Ａ上に位置する部分は、発光しない。
【００５０】
ここで、発光素子１０の輝度を調整するために、導体パターン１４０Ａを切断する。たとえば、導体パターン１４０Ａの一対の第二導体部１４２のうち、配線１７１に直接接続された第二導体部１４２を切断する。たとえば、レーザ等で第二導体部１４２を分断することができる。
これにより、導体パターン１４０Ａに流れる電流が遮断され、補助電極１５０を通じて第一電極１１０へ流れる電流が増加することとなる。そのため、有機機能層１２０においてより明るく発光することとなり、発光素子１０の輝度を調整することができる。
【００５１】
このような発光素子１０は、以下のようにして製造することができる。
透光性基板１００上に、第一電極１１０および第一導体部１４１を設ける。たとえば、蒸着あるいはスパッタリングを行って膜を形成し、これをエッチングでパターニングすることで、第一電極１１０および第一導体部１４１を設けることができる。
次に、補助電極１５０、第二導体部１４２、配線１７１，１７２を設ける。たとえば、蒸着あるいはスパッタリングを行って膜を形成し、これをエッチングでパターニングすることで、補助電極１５０、第二導体部１４２、配線１７１，１７２を設けることができる。
その後、絶縁膜１６０、１６１を設ける。絶縁膜１６０、１６１はたとえば、ポリイミド等の感光性の樹脂で構成でき、感光性の樹脂を露光現像することで、所望のパターンにパターニングされる。なお、前述した各実施形態においても、絶縁膜１６０、１６１はポリイミド等の感光性の樹脂で構成できる。
【００５２】
次に、有機機能層１２０を設ける。有機機能層１２０は蒸着法により形成されてもよく、塗布法により形成されてもよい。
その後、有機機能層１２０上に第二電極１３０を形成する。
【００５３】
本実施例においては、第一実施形態と同様の効果を奏することができるうえ、以下の効果を奏することができる。
本実施例においては、導体パターン１４０Ａ同士を隣接して配置せずに、導体パターン１４０Ａ間に、第一電極１１０を配置している。第一電極１１０上は発光領域であるため、導体パターン１４０Ａ上の非発光領域を目立たなくすることができる。
【００５４】
さらに、導体パターン１４０Ａの第一導体部１４１を第一電極１１０と同じ材料で構成することで、第一導体部１４１と第一電極１１０とを同時に形成することが可能となる。これに加え、第二導体部１４２を補助電極１５０と同じ材料で構成することで、第二導体部１４２と、補助電極１５０と同時に形成することが可能となる。
【００５５】
透光性基板１００の基板面側からの平面視において、配線１７１側に配置された第二導体部１４２の長手方向の他方の端部上（配線１７１側の端部上）には、有機機能層１２０、第二電極１３０、絶縁膜１６０は設けられていない。発光素子３０の輝度を調整する際には、この第二導体部１４２の他方の端部を切断すればよいので、容易に導体パターン１４０Ａを切断することができる。
【００５６】
さらには、本実施例においては、導体パターン１４０Ａと、有機機能層１２０とが絶縁膜１６０により電気的に絶縁されている。これにより、導体パターン１４０Ａを切断していない状態において、有機機能層１２０のうち、導体パターン１４０Ａ上の領域を確実に非発光領域とすることができる。導体パターン１４０Ａを切断していない状態において、導体パターン１４０Ａ上の有機機能層１２０がわずかながらでも発光している場合、導体パターン１４０Ａを切断することで、導体パターン１４０Ａ上の有機機能層１２０が発光していた状態から、非発光の状態となる。導体パターン１４０Ａ上の有機機能層１２０においては、輝度が低下することとなるので、この輝度の低下を考慮して、発光素子１０全体の輝度の調整を行なう必要があり、発光素子１０全体における輝度の調整を正確に行なうことが難しくなる。これに対し、導体パターン１４０Ａを切断していない状態において、予め、導体パターン１４０Ａ上の有機機能層１２０を、非発光領域としておけば、発光素子１０全体における輝度の調整が容易となる。
【００５７】
また、各発光素子３０の輝度を調整できるので、複数の発光素子３０を直列に接続しても、各発光素子３０の輝度を同程度にすることができる。
【００５８】
以上、図面を参照して実施形態及び実施例について述べたが、これらは本発明の例示であり、上記以外の様々な構成を採用することもできる。
たとえば、実施例１において、導体パターン１４０Ａは、絶縁膜１６０で被覆されていたが、絶縁膜１６０はなくてもよい。この場合、導体パターン１４０Ａは、有機機能層１２０に直接接触することとなる。
【００５９】
また、前記第二実施形態および実施例１において、有機機能層１２０が導体パターン１４０，１４０Ａ上になくてもよい。たとえば、第二実施形態において、絶縁膜１６０を被覆しないように、絶縁膜１６０間に有機機能層が設けられていてもよい。
同様に、実施例１においても、絶縁膜１６０を被覆しないように、絶縁膜１６０間に有機機能層が設けられていてもよい。
【００６０】
更に、正孔注入層１２１は第一電極１１０に直接接触している場合の他、正孔注入層１２１と第一電極１１０の間に他の層が設けられていてもよい。
【符号の説明】
【００６１】
１０    発光素子
２０    発光素子
３０    発光素子
１００    透光性基板
１１０    第一電極
１１０    透光性基板
１２０    有機機能層
１２１    正孔注入層
１２２    正孔輸送層
１２３    発光層
１２４    電子輸送層
１２５    電子注入層
１３０    第二電極
１４０    導体パターン
１４０Ａ  導体パターン
１４１    第一導体部
１４２    第二導体部
１５０    補助電極
１６０    絶縁膜
１６１    絶縁膜
１７１    配線
１７２    配線
１７３    引き出し線
Ｌ    発光部
【図１】
2014154269.tif 000003
【図２】
2014154269.tif 000004
【図３】
2014154269.tif 000005
【図４】
2014154269.tif 000006
【図５】
2014154269.tif 000007
【図６】
2014154269.tif 000008
【図７】
2014154269.tif 000009
【図８】
2014154269.tif 000010
【図９】
2014154269.tif 000011
【図１０】
2014154269.tif 000012